(57)【要約】【課題】ＢＰＳＫ方式の通信においても、ハンドオーバ時のノイズ発生を抑制できる無線通信装置を提供すること。【解決手段】複数の基地局から１つを選択して、当該選択した基地局との間で音声通話に係る接続を確立するＰＨＳ端末１は、第１の基地局から第２の基地局へ接続先を切り替える際に、音声パスを第１の基地局から第２の基地局へ切り替えるＣＰＵ３０を備え、ＣＰＵ３０は、第２の基地局との通信方式にＢＰＳＫ方式が選択されている場合に、第２の基地局から呼制御の応答を受信する前に第１の基地局から無線チャネルの切断通知を受信したときには、音声パスを第１の基地局から第２の基地局へ切り替えず、第２の基地局から呼制御の応答を受信したときに、音声パスを第１の基地局から第２の基地局へ切り替える。【選択図】図２
2010177834.tif 000002
【特許請求の範囲】
【請求項１】
複数の基地局から１つを選択して、当該選択した基地局との間で音声通話に係る接続を確立する無線通信装置であって、
第１の基地局から第２の基地局へ接続先を切り替える際に、音声パスを前記第１の基地局から前記第２の基地局へ切り替える制御部を備え、
前記制御部は、前記第２の基地局との通信方式にＢＰＳＫ方式が選択されている場合に、前記第２の基地局から呼制御の応答を受信する前に前記第１の基地局から無線チャネルの切断通知を受信したときには、前記音声パスを前記第１の基地局から前記第２の基地局へ切り替えず、前記第２の基地局から呼制御の応答を受信したときに、前記音声パスを前記第１の基地局から前記第２の基地局へ切り替えることを特徴とする無線通信装置。
【請求項２】
前記制御部は、前記第２の基地局から呼制御の応答を受信する前に前記第１の基地局から無線チャネルの切断通知を受信したとき、既に秘匿鍵設定を完了している場合には、前記音声パスを前記第１の基地局から前記第２の基地局へ切り替えることを特徴とする請求項１に記載の無線通信装置。
【請求項３】
基地局との通信方式として、ＢＰＳＫ方式またはＱＰＳＫ方式のいずれかを選択する選択部を備え、
前記制御部は、前記選択部により選択された通信方式を判別し、当該判別された通信方式に応じて、前記音声パスを前記第１の基地局から前記第２の基地局へ切り替える条件を決定することを特徴とする請求項１または請求項２に記載の無線通信装置。
【発明の詳細な説明】
【技術分野】
【０００１】
本発明は、ＢＰＳＫ方式に対応した無線通信装置に関する。
【背景技術】
【０００２】
従来、複数の基地局から１つを選択して音声通話の通信を行う無線通信システムでは、各基地局から送信される電波の状況等に応じて、通信相手の基地局を切り替えるハンドオーバが実施される。通話中にこのハンドオーバ処理が実行されると、処理中に相手の音声が途切れる場合があるが、無線システムの種類に応じて、この途切れる時間を短縮するための方法が提案されている（例えば、特許文献１参照）。
【０００３】
無線通信システムの１つであるＰＨＳ（Ｐｅｒｓｏｎａｌ  Ｈａｎｄｙ  ｐｈｏｎｅ  Ｓｙｓｔｅｍ）においても、ハンドオーバ処理は行われている。さらに、高速ハンドオーバと呼ばれる方法では、ＴＤＭＡ（Ｔｉｍｅ  Ｄｉｖｉｓｉｏｎ  Ｍｕｌｔｉｐｌｅ  Ａｃｃｅｓｓ、時分割多元接続）で使用可能な４スロットのうち、切り替え元の基地局（旧基地局）と通信中のスロット以外の空きスロットを利用して、他の基地局をサーチし、通信に適した基地局を選択する。そして、選択された基地局（新基地局）との接続が確立してから音声パスを切り替えることにより、音声が途切れる時間を短縮することができる。
【０００４】
ところで、ＰＨＳにおける高度化対応端末では、ＱＰＳＫ（Ｑｕａｄｒａｔｕｒｅ  Ｐｈａｓｅ  Ｓｈｉｆｔ  Ｋｅｙｉｎｇ、四位相偏移変調）方式の通信に加えて、ＢＰＳＫ（Ｂｉｎａｒｙ  Ｐｈａｓｅ  Ｓｈｉｆｔ  Ｋｅｙｉｎｇ、二位相偏移変調）方式の通信が可能となっている。ＢＰＳＫ方式では、ＱＰＳＫ方式に比べて時間当たりの情報量は半分となるが、エラーの少ない位相偏移変調方式である。
【０００５】
ここで、上述の高速ハンドオーバで音声パスを切り替える条件は、（１）新基地局からＣＣ（Ｃａｌｌ  Ｃｏｎｔｒｏｌ、呼制御）応答を受信したとき、（２）新基地局の有音を検知したとき、（３）新基地局とのＦＡＣＣＨ（Ｆａｓｔ  Ａｓｓｏｃｉａｔｅｄ  Ｃｏｎｔｒｏｌｌ  Ｃｈａｎｎｅｌ）が切断状態であり、かつ、旧基地局からのＲＴ（Ｒａｄｉｏ  ｆｒｅｑｕｅｎｃｙ  Ｔｒａｎｓｍｉｓｓｉｏｎ  ｍａｎａｇｅｍｅｎｔ、無線管理）無線チャネル切断通知を受信したとき、と規定されている。
【０００６】
図７は、ＱＰＳＫ方式の新基地局への高速ハンドオーバの処理を示すシーケンス図である。ここでは、ＰＨＳ端末と旧基地局とが通話中に、端末が移動した等の理由により通信品質が劣化し、新基地局へ高速ハンドオーバする処理の一例を示す。
【０００７】
端末は空きスロットで周辺の基地局（ＣＳ）をサーチし、新基地局を選択する。続いて、選択した新基地局へリンクチャネルの確立要求を送信することにより、ＱＰＳＫでのリンクチャネルの割り当てが実行される。そして、端末と新基地局とは、割り当てられたリンクチャネルの確立フェーズにおいて、通信チャネル（Ｔｃｈ）を確立する。
【０００８】
次に、端末と新基地局とは、付随制御チャネル（ＦＡＣＣＨ、ＳＡＣＣＨ（Ｓｌｏｗ  Ａｓｓｏｃｉａｔｅｄ  Ｃｏｎｔｒｏｌｌ  Ｃｈａｎｎｅｌ））での接続を行い、ネゴシエーションを進める。具体的には、まず、端末がＣＣ呼設定を送信すると、新基地局がＣＣ呼設定受付を返送する。続いて、端末がＲＴ機能要求を送信すると、新基地局がＲＴ機能要求応答を返送する。さらに、端末がＲＴ秘匿鍵設定を送信した後、ＦＡＣＣＨが切断される。
【０００９】
ここで、旧基地局から、ＲＴ無線チャネルの切断通知を受信したとする。すると、上述の音声パス切り替え条件（３）を満たすので、端末は音声パスを旧基地局から新基地局へ切り替え、新基地局とのＱＰＳＫ通話を開始する。その後、旧基地局とのＲＴ無線チャネルの切断完了と、新基地局からのＣＣ応答の受信を行ってハンドオーバが完了する。
【００１０】
なお、ＲＴ無線チャネルの切断通知を受信するタイミングは不明であり、図７のようにＦＡＣＣＨの切断後とは限らない。ＦＡＣＣＨが切断される前に受信した場合には、音声パスの切り替えは、条件（１）または（２）を満たす別のタイミングとなる。
【先行技術文献】
【特許文献】
【００１１】
【特許文献１】特開平１１−１４６４５０号公報
【発明の概要】
【発明が解決しようとする課題】
【００１２】
一方、ＢＰＳＫ方式では、取り扱う音声データの形式や通信確立の処理手順が異なる。具体的には、上述のＱＰＳＫ方式での音声パスの切り替え条件に関連する事項として、有音検知ができないことと、ＳＡＣＣＨを使用しないためＦＡＣＣＨの切断処理を行わないことと、が挙げられる。
【００１３】
このため、ＱＰＳＫ方式での音声パスの切り替え条件をそのままＢＰＳＫ方式へ当てはめると、切り替え条件は、（１）新基地局からＣＣ応答を受信したとき、（３ａ）旧基地局からのＲＴ無線チャネル切断通知を受信したとき、の２つとなる。
【００１４】
図８は、ＢＰＳＫ方式の新基地局への高速ハンドオーバの処理を示すシーケンス図である。ここでは、切り替え条件（３ａ）により音声パスを切り替える場合を示している。
【００１５】
図７のシーケンスと同様に、端末がリンクチャネルの確立要求を送信すると、新基地局からはＢＰＳＫが割り当てられる。そして、端末と新基地局とは、割り当てられたリンクチャネルの確立フェーズにおいて、通信チャネル（Ｔｃｈ）を確立する。
【００１６】
ここで、端末と新基地局との間の通信品質も劣化してしまった場合、この後のネゴシエーションの各段階で、送受信エラーにより再送制御が発生して処理が遅延することとなる。その結果、端末は、旧基地局からのＲＴ無線チャネルの切断通知を、ネゴシエーションの完了よりも前に受信した場合、条件（３ａ）により新基地局へ音声パスを切り替え、ＢＰＳＫ方式での通話が開始される。
【００１７】
すると、新基地局では、まだ正しい音声データを送信する準備が整っていないため、ノイズが発生してしまう。また、新基地局との通信品質が改善されないと、この新基地局に音声パスを通すことによりノイズが発生してしまう。
【００１８】
このように、ＱＰＳＫ方式での音声パスの切り替え条件をＢＰＳＫ方式にも適用した場合には、通話の音声にノイズが発生してしまうことがあった。
【００１９】
本発明は、ＢＰＳＫ方式の通信においても、ハンドオーバ時のノイズ発生を抑制できる無線通信装置を提供することを目的とする。
【課題を解決するための手段】
【００２０】
本発明に係る無線通信装置は、複数の基地局から１つを選択して、当該選択した基地局との間で音声通話に係る接続を確立する無線通信装置であって、第１の基地局から第２の基地局へ接続先を切り替える際に、音声パスを前記第１の基地局から前記第２の基地局へ切り替える制御部を備え、前記制御部は、前記第２の基地局との通信方式にＢＰＳＫ方式が選択されている場合に、前記第２の基地局から呼制御の応答を受信する前に前記第１の基地局から無線チャネルの切断通知を受信したときには、前記音声パスを前記第１の基地局から前記第２の基地局へ切り替えず、前記第２の基地局から呼制御の応答を受信したときに、前記音声パスを前記第１の基地局から前記第２の基地局へ切り替えることを特徴とする。
【００２１】
また、前記制御部は、前記第２の基地局から呼制御の応答を受信する前に前記第１の基地局から無線チャネルの切断通知を受信したとき、既に秘匿鍵設定を完了している場合には、前記音声パスを前記第１の基地局から前記第２の基地局へ切り替えることが好ましい。
【００２２】
また、本発明に係る無線通信装置は、基地局との通信方式として、ＢＰＳＫ方式またはＱＰＳＫ方式のいずれかを選択する選択部を備え、前記制御部は、前記選択部により選択された通信方式を判別し、当該判別された通信方式に応じて、前記音声パスを前記第１の基地局から前記第２の基地局へ切り替える条件を決定することが好ましい。
【発明の効果】
【００２３】
本発明によれば、ＢＰＳＫ方式の通信においても、ハンドオーバ時のノイズ発生を抑制できる。
【図面の簡単な説明】
【００２４】
【図１】本発明の実施形態に係るＰＨＳ端末の外観斜視図である。
【図２】本発明の実施形態に係るＰＨＳ端末の機能を示すブロック図である。
【図３】本発明の実施形態に係るＢＰＳＫ方式の新基地局への高速ハンドオーバの処理例Ａを示すシーケンス図である。
【図４】本発明の実施形態に係るＢＰＳＫ方式の新基地局への高速ハンドオーバの処理例Ｂを示すシーケンス図である。
【図５】本発明の実施形態に係るＣＰＵにおける処理の流れを示すフローチャートである。
【図６】本発明の実施形態に係るＣＰＵにおける図５から続く処理の流れを示すフローチャートである。
【図７】ＱＰＳＫ方式の新基地局への高速ハンドオーバの処理を示すシーケンス図である。
【図８】ＢＰＳＫ方式の新基地局への高速ハンドオーバの処理を示すシーケンス図である。
【発明を実施するための形態】
【００２５】
以下、本発明の好適な実施形態の一例について説明する。なお、無線通信装置の一例としてＰＨＳ端末１を説明するが、本発明はこれに限定されるものではない。例えば、ＰＨＳ以外の携帯電話機やＰＤＡ（Ｐｅｒｓｏｎａｌ  Ｄｉｇｉｔａｌ  Ａｓｓｉｓｔａｎｔ）、ゲーム機等、無線通信機能を有する様々な通信装置に適用可能である。
【００２６】
図１は、本実施形態に係るＰＨＳ端末１の外観斜視図である。なお、図１は、いわゆる折り畳み型の端末の形態を示しているが、本発明に係る端末の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００２７】
ＰＨＳ端末１は、操作部側筐体２と、表示部側筐体３と、を備えて構成される。操作部側筐体２は、表面部１０に、操作部１１と、ＰＨＳ端末１の使用者が通話時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２８】
また、表示部側筐体３は、表面部２０に、各種情報を表示するための表示部２１と、通話の相手側の音声を出力するレシーバ２２と、を備えて構成されている。
【００２９】
また、操作部側筐体２の上端部と表示部側筐体３の下端部とは、ヒンジ機構４を介して連結されている。また、ＰＨＳ端末１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００３０】
図２は、本実施形態に係るＰＨＳ端末１の機能を示すブロック図である。ＰＨＳ端末１は、操作部１１と、表示部２１と、ＣＰＵ３０（制御部、選択部）と、通信部３１と、アンテナ３２と、音声制御部３３と、メモリ３４と、を備える。
【００３１】
ＣＰＵ３０は、ＰＨＳ端末１の全体を制御しており、例えば、表示部２１、通信部３１、音声制御部３３等に対して所定の制御を行う。また、ＣＰＵ３０は、操作部１１から入力を受け付けて、各種処理を実行する。そして、ＣＰＵ３０は、処理実行の際には、メモリ３４を制御し、各種プログラムおよびデータの読み出し、およびデータの書き込みを行う。
【００３２】
表示部２１は、ＣＰＵ３０の制御に従って、所定の画像処理を行う。そして、処理後の画像データをフレームメモリに蓄え、所定のタイミングで画面出力する。
【００３３】
通信部３１は、所定の使用周波数帯（例えば、１．９ＧＨｚ帯）で外部装置と通信を行う。そして、通信部３１は、アンテナ３２より受信した信号を復調処理し、処理後の信号をＣＰＵ３０に供給し、また、ＣＰＵ３０から供給された信号を変調処理し、アンテナ３２から外部装置に送信する。このときの変調方式として、基地局からの割り当て、およびＣＰＵ３０の指示に従って、上述のＱＰＳＫ方式またはＢＰＳＫ方式が選択される。
【００３４】
音声制御部３３は、ＣＰＵ３０の制御に従って、通信部３１から供給された信号に対して所定の音声処理を行い、処理後の信号をレシーバ２２に出力する。レシーバ２２は、音声制御部３３から供給された信号を外部に出力する。なお、この信号は、レシーバ２２に代えて、または、レシーバ２２と共に、スピーカ（図示せず）から出力されるとしてもよい。
【００３５】
また、音声制御部３３は、ＣＰＵ３０の制御に従って、マイク１２から入力された信号を処理し、処理後の信号を通信部３１に出力する。通信部３１は、音声制御部３３から供給された信号に所定の処理を行い、処理後の信号をアンテナ３２より出力する。
【００３６】
メモリ３４は、例えば、ワーキングメモリを含み、ＣＰＵ３０による演算処理に利用される。また、本実施形態に係る処理を実行するためのプログラムや、各種制御用条件データ等を記憶する。なお、メモリ３４は、着脱可能な外部メモリを兼ねていてもよい。
【００３７】
以下、ＢＰＳＫ方式の新基地局への高速ハンドオーバにおけるＣＰＵ３０の処理内容を説明する。ＣＰＵ３０は、ＢＰＳＫ方式の新基地局へ高速ハンドオーバする場合、音声パスの切り替え条件として、（３ａ）に替えて（３ｂ）ＲＴ秘匿鍵設定送信済みであり、かつ、旧基地局からのＲＴ無線チャネル切断通知を受信したとき、とする。すなわち、ＣＰＵ３０は、（１）および（３ｂ）の２つの条件により、音声パスを新基地局へと切り替える。
【００３８】
図３は、本実施形態に係るＢＰＳＫ方式の新基地局への高速ハンドオーバの処理例Ａを示すシーケンス図である。
【００３９】
この例では、リンクチャネル確立フェーズの後、ハンドオーバ先である新基地局との通信品質が劣化し、ＦＡＣＣＨ接続からＲＴ秘匿鍵設定までのネゴシエーションの各段階で、送受信エラーにより再送制御が発生して処理が遅延している。その結果、ＲＴ無線チャネルの切断通知を受信するタイミングが早くなり、ＰＨＳ端末１は、ＲＴ機能要求とＲＴ機能要求応答の間にＲＴ無線チャネルの切断通知を受信している。
【００４０】
ＲＴ無線チャネルの切断通知は受信したものの、ＲＴ秘匿鍵設定が送信されていないので、上述の（３ｂ）の条件は満たさない。したがって、ＣＰＵ３０は、ＲＴ無線チャネルの切断通知に応じて、ＲＴ無線チャネルの切断完了通知を送信するに留め、音声パスの切り替えを条件（１）のＣＣ応答を受信するまで待ち、その後にＢＰＳＫ通話を開始する。
【００４１】
このＣＰＵ３０の制御により、新基地局において正しい音声データを送信する準備が整った後に音声パスの切り替えが行われるので、ノイズの発生を抑制することができる。
【００４２】
図４は、本実施形態に係るＢＰＳＫ方式の新基地局への高速ハンドオーバの処理例Ｂを示すシーケンス図である。
【００４３】
この例では、ＰＨＳ端末１は、ＲＴ秘匿鍵設定が送信された後に、ＲＴ無線チャネルの切断通知を受信している。すると、上述の（３ｂ）の条件を満たすので、ＣＰＵ３０は、このＲＴ無線チャネルの切断通知を受信したタイミングで、音声パスの切り替えを実行する。
【００４４】
ＲＴ秘匿鍵設定が完了していれば、新基地局において正しい音声データを送信する準備が整っている。したがって、このタイミングでＰＨＳ端末１と新基地局との間でＢＰＳＫ通話を開始しても、ノイズが発生しない。
【００４５】
図５および図６は、本実施形態に係るＣＰＵ３０における処理の流れを示すフローチャートである。図５にて新基地局との通信チャネルを確立するまでの、図６にて通信チャネルを確立した後の処理を示す。
【００４６】
まず図５において、ステップＳ１では、ＣＰＵ３０は、周辺の基地局をサーチし、ハンドオーバ先である新基地局を選択する。このとき、ＣＰＵ３０は、基地局それぞれの電界強度を測定し、所定以上の強度、あるいは最大強度の基地局を、ハンドオーバ先の新基地局として選択する。
【００４７】
ステップＳ２では、ＣＰＵ３０は、新基地局へリンクチャネル（ＬＣＨ）の確立要求を送信する。ＰＨＳ端末１は、ＱＰＳＫおよびＢＰＳＫの双方に対応しているため、いずれの方式を採用するかは、新基地局の応答に従う。
【００４８】
ステップＳ３では、ＣＰＵ３０は、ステップＳ２の要求に応じて新基地局から割り当てられたリンクチャネルがＢＰＳＫ方式であるか否かを判定する。この判定がＹＥＳの場合、すなわちＢＰＳＫ方式である場合は、ステップＳ４に移り、判定がＮＯの場合、すなわちＱＰＳＫ方式である場合は、ステップＳ５に移る。
【００４９】
ステップＳ４では、ＣＰＵ３０は、新基地局との通信に用いる変調方式を、ステップＳ３にて割り当てられたＢＰＳＫに設定する。
【００５０】
ステップＳ５では、ＣＰＵ３０は、新基地局との通信に用いる変調方式を、ステップＳ３にて割り当てられたＱＰＳＫに設定する。
【００５１】
ステップＳ６では、ＣＰＵ３０は、リンクチャネル確立フェーズを実行し、新基地局との通信チャネル（ＴＣＨ）を確立する。
【００５２】
図６に移って、ステップＳ１１では、ＣＰＵ３０は、新基地局との間で、プロトコルレイヤ２の制御チャネルであるＦＡＣＣＨの接続を行う。
【００５３】
ステップＳ１２では、ＣＰＵ３０は、ステップＳ４またはステップＳ５にて設定された変調方式がＱＰＳＫ方式であるか否かを判定する。この判定がＹＥＳの場合、すなわちＱＰＳＫ方式である場合は、ステップＳ１３に移り、判定がＮＯの場合、すなわちＢＰＳＫ方式である場合は、ステップＳ１４に移る。
【００５４】
ステップＳ１３では、ＣＰＵ３０は、ＱＰＳＫ方式での通信を確立させるため、ＢＰＳＫ方式では採用されていないＳＡＣＣＨの接続を行う。
【００５５】
ステップＳ１４では、ＣＰＵ３０は、ＣＣ（呼制御）およびＲＴ（無線管理）に関するネゴシエーションフェーズの実行を開始する。
【００５６】
ステップＳ１５では、ＣＰＵ３０は、ステップＳ４またはステップＳ５にて設定された変調方式がＱＰＳＫ方式であるか否かを判定する。この判定がＹＥＳの場合、すなわちＱＰＳＫ方式である場合は、ステップＳ１６に移り、判定がＮＯの場合、すなわちＢＰＳＫ方式である場合は、ステップＳ１７に移る。
【００５７】
ステップＳ１６では、ＣＰＵ３０は、ステップＳ１１にて接続されたＦＡＣＣＨを切断し、付随制御チャネルとしては、ＳＡＣＣＨのみの接続に移行させる。
【００５８】
以下、ＣＰＵ３０は、設定された変調方式がＱＰＳＫ方式であるかＢＰＳＫ方式であるかを適宜判別し、対応する音声パスの切り替え条件を採用して、後続の処理を行う。
【００５９】
ステップＳ１７では、ＣＰＵ３０は、ステップＳ４またはステップＳ５にて設定された変調方式がＱＰＳＫ方式であるか否かを判定する。この判定がＹＥＳの場合、すなわちＱＰＳＫ方式である場合は、ステップＳ１８に移り、判定がＮＯの場合、すなわちＢＰＳＫ方式である場合は、ステップＳ１９に移る。
【００６０】
ステップＳ１８では、ＣＰＵ３０は、新基地局の有音を検知したか否かを判定する。この判定がＹＥＳの場合は、ＱＰＳＫ方式における音声パス切り替えの条件（２）を満たすので、ステップＳ２２に移る。一方、判定がＮＯの場合はステップＳ１９に移る。
【００６１】
ステップＳ１９では、ＣＰＵ３０は、旧基地局からＲＴ無線チャネルの切断通知を受信したか否かを判定する。この判定がＹＥＳの場合はステップＳ２０に移り、判定がＮＯの場合はステップＳ２１に移る。
【００６２】
ステップＳ２０では、ＣＰＵ３０は、変調方式がＢＰＳＫ方式の場合に、ＲＴ秘匿鍵が設定済みか否かを判定する。この判定がＹＥＳの場合は、ＢＰＳＫ方式における音声パスの切り替え条件（３ｂ）を満たすので、ステップＳ２２に移る。一方、判定がＮＯの場合はステップＳ２１に移る。なお、変調方式がＱＰＳＫ方式の場合は、ステップＳ１６にてＦＡＣＣＨが切断済みであり、音声パスの切り替え条件（３）を満たすので、ステップＳ２２に移る。
【００６３】
ステップＳ２１では、ＣＰＵ３０は、新基地局からＣＣ応答を受信したか否かを判定する。この判定がＹＥＳの場合は、ＱＰＳＫ方式およびＢＰＳＫ方式の双方における音声パスの切り替え条件（１）を満たすので、ステップＳ２２に移る。一方、判定がＮＯの場合はステップＳ１７に戻って音声パスの切り替え判定を継続する。
【００６４】
ステップＳ２２では、ＣＰＵ３０は、新基地局との音声パスを開通させ、旧基地局から新基地局へ音声を切り替える。
【００６５】
以上のように、本実施形態によれば、変調方式がＢＰＳＫである場合に、旧基地局からＲＴ無線チャネルの切断通知を受信したときに、即座に音声パスを切り替えないので、新基地局で正しい音声データの送信準備が整う前に音声通話を開始することによるノイズの発生を抑制することができる。さらに、ＣＣ応答の受信に応じて音声パスを切り替えるので、新基地局で正しい音声データの送信準備が整ってから音声通話を開始でき、ノイズ発生を抑制できる。
【００６６】
また、旧基地局からＲＴ無線チャネルの切断通知を受信したとき、ＲＴ秘匿鍵設定が完了している場合には、このタイミングで音声パスを切り替える。このことにより、ＣＣ応答の受信まで待つことなく、新基地局で正しい音声データの送信準備が整ったことを判別し、より早く音声パスを切り替えることができる。
【００６７】
また、ＱＰＳＫおよびＢＰＳＫの双方に対応可能なＰＨＳ端末１では、いずれの変調方式が選択されたのかを判別し、対応する音声パスの切り替え条件を採用する。これにより、いずれの変調方式であっても、ノイズの発生を抑制しつつ、適切なタイミングで音声パスを切り替えることができる。
【００６８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６９】
１  ＰＨＳ端末（無線通信装置）
１１  操作部
２１  表示部
２２  レシーバ
３０  ＣＰＵ（制御部、選択部）
３１  通信部
３２  アンテナ
３３  音声制御部
３４  メモリ
【図１】
2010177834.tif 000003
【図２】
2010177834.tif 000004
【図３】
2010177834.tif 000005
【図４】
2010177834.tif 000006
【図５】
2010177834.tif 000007
【図６】
2010177834.tif 000008
【図７】
2010177834.tif 000009
【図８】
2010177834.tif 000010